(57)【要約】【課題】ユーザに煩雑な処理を要求することなく、ユーザが認識していない要求元からの位置情報の提供要求を拒否すること。【解決手段】位置情報の提供要求に応じて位置情報を検索して提供する位置検索サービスに対応する携帯電話機１であって、通信相手の連絡先情報が登録された電話帳を保持する電話帳保持部１１４と、位置情報の提供要求を受信する受信部１０１と、位置情報の提供要求に含まれる要求元の識別情報（Ｒｅｑｕｅｓｔｏｒ  ＩＤ）と連絡先情報（電話番号）とを照合するＲｅｑｕｅｓｔｏｒ  ＩＤ照合部１０８と、Ｒｅｑｕｅｓｔｏｒ  ＩＤ照合部１０８の照合結果に応じて位置情報の提供要求を拒否する位置情報提供処理部１０９と、を具備することを特徴とする。【選択図】図２
2010093706.tif 000002
【特許請求の範囲】
【請求項１】
位置情報の提供要求に応じて位置情報を検索して提供する位置検索サービスに対応する移動体端末装置であって、
通信相手の連絡先情報が登録された電話帳を保持する電話帳保持部と、前記位置情報の提供要求を受信する受信部と、前記位置情報の提供要求に含まれる要求元の識別情報と前記連絡先情報とを照合する照合部と、前記照合部の照合結果に応じて前記位置情報の提供要求を拒否する位置情報提供処理部と、を具備することを特徴とする移動体端末装置。
【請求項２】
前記位置情報提供処理部は、前記要求元の識別情報に応じた前記連絡先情報が登録されていない場合に当該位置情報の提供要求を拒否することを特徴とする請求項１記載の移動体端末装置。
【請求項３】
装置本体に設定された位置情報の提供可否状態を保持する設定保持部と、前記提供可否状態を判定する提供可否判定部とを具備し、前記位置情報提供処理部は、前記提供可否判定部の判定結果に応じて前記位置情報の提供要求を拒否することを特徴とする請求項１又は請求項２記載の移動体端末装置。
【請求項４】
前記設定保持部は、全ての前記位置情報の提供要求を拒否する第１提供拒否状態と、前記電話帳に登録された連絡先情報以外の前記位置情報の提供要求を拒否する第２提供拒否状態とを保持し、前記位置情報提供処理部は、前記提供可否判定部による判定結果が前記第１提供拒否状態の場合に前記位置情報の提供要求を拒否することを特徴とする請求項３記載の移動体端末装置。
【請求項５】
前記照合部は、前記提供可否判定部による判定結果が前記第２提供拒否状態の場合に前記要求元の識別情報と前記連絡先情報とを照合し、前記位置情報提供処理部は、前記照合部の照合結果に応じて前記位置情報の提供要求を拒否することを特徴とする請求項４記載の移動体端末装置。
【請求項６】
前記連絡先情報に基づいて前記要求元の識別情報に対応する名前の表示制御を行う表示制御部を具備し、前記表示制御部は、前記設定保持部に保持された前記電話帳の利用可否状態に応じて前記要求元の識別情報に対応する名前の表示制御を行うことを特徴とする請求項１から請求項５のいずれかに記載の移動体端末装置。
【請求項７】
装置本体における現在の動作モードが第１の電話帳を利用可能な第１の動作モード又は第２の電話帳を利用可能な第２の動作モードであるか判定する動作モード判定部を具備し、前記表示制御部は、前記動作モード判定部により判定された現在の動作モードに応じて前記要求元の識別情報に対応する名前の表示制御を行うことを特徴とする請求項１から請求項６のいずれかに記載の移動体端末装置。
【請求項８】
装置本体を識別するための自端末情報を記憶する記憶部を具備し、前記照合部は、前記位置情報の提供要求に含まれる要求元で指定される識別情報と前記自端末情報とを照合し、前記位置情報提供処理部は、前記照合部の照合結果に応じて前記位置情報の提供要求を許諾することを特徴とする請求項１から請求項７のいずれかに記載の移動体端末装置。
【請求項９】
前記位置情報提供処理部は、前記要求元で指定される識別情報と前記自端末情報とが一致する場合に当該位置情報の提供要求を許諾することを特徴とする請求項８記載の移動体端末装置。
【請求項１０】
位置情報の提供要求に応じて位置情報を検索して提供する位置検索サービスに対応する移動体端末装置を用いた位置情報提供方法であって、
前記位置情報の提供要求を受信するステップと、前記位置情報の提供要求に含まれる要求元の識別情報と、通信相手の連絡先情報が登録される電話帳内の前記連絡先情報とを照合するステップと、その照合結果に応じて前記位置情報の提供要求を拒否するステップと、を具備することを特徴とする位置情報提供方法。
【発明の詳細な説明】
【技術分野】
【０００１】
本発明は、移動体端末装置及びこれを用いた位置情報提供方法に関し、特に、位置情報の提供要求に応じて位置情報を検索して提供する位置検索サービスに対応する移動体端末装置及びこれを用いた位置情報提供方法に関する。
【背景技術】
【０００２】
従来、携帯電話装置などの移動体通信機能を備えた移動体端末装置の位置情報を検索して提供する位置検索サービスが知られている。このような位置検索サービスに対応する移動体端末装置において、プライバシーの保護の観点から、位置情報の提供が要求される都度、位置情報を検索される側の端末装置（被位置検索端末）でそのことが分かり、位置情報の提供を許諾するかどうかの判断を行うことができるようにしたものが提案されている（例えば、特許文献１参照）。
【特許文献１】特開２００２−１５９０６３号公報
【発明の開示】
【発明が解決しようとする課題】
【０００３】
しかしながら、上述したような従来の移動体端末装置においては、位置情報の提供が要求される都度、位置情報の提供を許諾するか判断しなければならず、その判断に伴うユーザの処理が煩雑になるという問題がある。仮に、移動体端末装置の識別情報が第三者によって入手され、悪意により位置情報の提供が繰り返し要求されるような場合には、位置情報の提供の許諾を繰り返し判断することとなり、極めて処理が煩雑になる。
【０００４】
本発明は、ユーザに煩雑な処理を要求することなく、ユーザが認識していない要求元からの位置情報の提供要求を拒否することができる移動体通信装置及びこれを用いた位置情報提供方法を提供することを目的とする。
【課題を解決するための手段】
【０００５】
本発明の移動体端末装置は、位置情報の提供要求に応じて位置情報を検索して提供する位置検索サービスに対応する移動体端末装置であって、通信相手の連絡先情報が登録された電話帳を保持する電話帳保持部と、前記位置情報の提供要求を受信する受信部と、前記位置情報の提供要求に含まれる要求元の識別情報と前記連絡先情報とを照合する照合部と、前記照合部の照合結果に応じて前記位置情報の提供要求を拒否する位置情報提供処理部と、を具備することを特徴とする。
【０００６】
この構成によれば、位置情報の提供要求に含まれる要求元の識別情報と電話帳に登録された連絡先情報とが照合され、その照合結果に応じて位置情報の提供要求が拒否されることから、電話帳に登録された連絡先情報に基づいて位置情報の提供要求を受け付ける要求元を選択できるので、ユーザに煩雑な処理を要求することなく、ユーザが認識していない要求元からの位置情報の提供要求を拒否することが可能となる。
【０００７】
本発明の移動体端末装置において、前記位置情報提供処理部は、前記要求元の識別情報に応じた前記連絡先情報が登録されていない場合に当該位置情報の提供要求を拒否することが好ましい。この場合には、電話帳に連絡先情報が登録されていない要求元からの位置情報の提供要求を拒否できるので、確実にユーザが認識していない要求元からの位置情報の提供要求を拒否することが可能となる。
【０００８】
また、本発明の移動体端末装置においては、装置本体に設定された位置情報の提供可否状態を保持する設定保持部と、前記提供可否状態を判定する提供可否判定部とを具備し、前記位置情報提供処理部は、前記提供可否判定部の判定結果に応じて前記位置情報の提供要求を拒否することが好ましい。この場合には、装置本体に設定された位置情報の提供可否状態に応じて位置情報の提供要求が拒否されるので、ユーザの意図を反映して位置情報の提供要求を拒否することが可能となる。
【０００９】
例えば、本発明の移動体端末装置において、前記設定保持部は、全ての前記位置情報の提供要求を拒否する第１提供拒否状態と、前記電話帳に登録された連絡先情報以外の前記位置情報の提供要求を拒否する第２提供拒否状態とを保持し、前記位置情報提供処理部は、前記提供可否判定部による判定結果が前記第１提供拒否状態の場合に前記位置情報の提供要求を拒否することが考えられる。このように第１提供拒否状態が設定されている場合には、照合部の照合結果を待たずに位置情報の提供要求を拒否することが可能となる。
【００１０】
また、本発明の移動体端末装置において、前記照合部は、前記提供可否判定部による判定結果が前記第２提供拒否状態の場合に前記要求元の識別情報と前記連絡先情報とを照合し、前記位置情報提供処理部は、前記照合部の照合結果に応じて前記位置情報の提供要求を拒否するようにしても良い。このように第２提供拒否状態が設定されている場合には、照合部の照合結果に応じて位置情報の提供要求が拒否することができるので、ユーザの意図を反映しつつ、確実にユーザが認識していない要求元からの位置情報の提供要求を拒否することが可能となる。
【００１１】
なお、本発明の移動体端末装置においては、前記連絡先情報に基づいて前記要求元の識別情報に対応する名前の表示制御を行う表示制御部を具備し、前記表示制御部は、前記設定保持部に保持された前記電話帳の利用可否状態に応じて前記要求元の識別情報に対応する名前の表示制御を行うようにしても良い。この場合には、電話帳の利用可否状態に応じて要求元の識別情報に対応する名前の表示制御が行われるので、ユーザの意図に応じて要求元の識別情報に対応する名前を表示することが可能となる。
【００１２】
また、本発明の移動体端末装置においては、装置本体における現在の動作モードが第１の電話帳を利用可能な第１の動作モード又は第２の電話帳を利用可能な第２の動作モードであるか判定する動作モード判定部を具備し、前記表示制御部は、前記動作モード判定部により判定された現在の動作モードに応じて前記要求元の識別情報に対応する名前の表示制御を行うようにしても良い。この場合には、現在の動作モードに応じて要求元の識別情報に対応する名前の表示制御が行われるので、利用シーン等に応じて必要な要求元の識別情報に対応する名前のみを表示することが可能となる。
【００１３】
さらに、本発明の移動体端末装置においては、装置本体を識別するための自端末情報を記憶する記憶部を具備し、前記照合部は、前記位置情報の提供要求に含まれる要求元で指定される識別情報と前記自端末情報とを照合し、前記位置情報提供処理部は、前記照合部の照合結果に応じて前記位置情報の提供要求を許諾するようにしても良い。この場合には、位置情報の提供要求に含まれる要求元で指定される識別情報と自端末情報とが照合され、その照合結果に応じて位置情報の提供要求が許諾されることから、要求元で指定される識別情報として自端末情報を指定することにより、移動体端末装置の位置情報を入手可能となるので、例えば、紛失時等における移動体端末装置の位置を特定することが可能となる。
【００１４】
特に、本発明の移動体端末装置において、前記位置情報提供処理部は、前記要求元で指定される識別情報と前記自端末情報とが一致する場合に当該位置情報の提供要求を許諾することが好ましい。この場合には、要求元で指定される識別情報と自端末情報とが一致する場合に位置情報の提供要求が許諾されるので、確実に自端末情報が特定された場合に限って位置情報を提供することが可能となる。
【００１５】
本発明の位置情報提供方法は、位置情報の提供要求に応じて位置情報を検索して提供する位置検索サービスに対応する移動体端末装置を用いた位置情報提供方法であって、前記位置情報の提供要求を受信するステップと、前記位置情報の提供要求に含まれる要求元の識別情報と、通信相手の連絡先情報が登録される電話帳内の前記連絡先情報とを照合するステップと、その照合結果に応じて前記位置情報の提供要求を拒否するステップと、を具備することを特徴とする。
【００１６】
この方法によれば、位置情報の提供要求に含まれる要求元の識別情報と電話帳に登録された連絡先情報とが照合され、その照合結果に応じて位置情報の提供要求が拒否されることから、電話帳に登録された連絡先情報に基づいて位置情報の提供要求を受け付ける要求元を選択できるので、ユーザに煩雑な処理を要求することなく、ユーザが認識していない要求元からの位置情報の提供要求を拒否することが可能となる。
【発明の効果】
【００１７】
本発明によれば、位置情報の提供要求に含まれる要求元の識別情報と電話帳に登録された連絡先情報とが照合され、その照合結果に応じて位置情報の提供要求が拒否されることから、電話帳に登録された連絡先情報に基づいて位置情報の提供要求を受け付ける要求元を選択できるので、ユーザに煩雑な処理を要求することなく、ユーザが認識していない要求元からの位置情報の提供要求を拒否することが可能となる。
【発明を実施するための最良の形態】
【００１８】
以下、本発明の一実施の形態について添付図面を参照して詳細に説明する。なお、以下においては、本発明を具現化した移動体端末装置としての携帯電話機について説明するが、本発明は、これに限定されるものではなく、移動体端末装置を用いた位置情報提供方法としても成立するものである。
【００１９】
図１は、本発明の一実施の形態に係る移動体端末装置が適用される移動通信ネットワークシステムの概略構成を示す図である。図１に示す移動通信ネットワークシステムにおいて、本発明に係る移動体端末装置としての携帯電話機１は、移動通信網であるコアネットワーク２を介して移動通信センター３と接続されている。また、パーソナルコンピュータ（以下、「ＰＣ」という）４は、インターネット５のようなネットワークを介して移動通信センター３に接続されている。なお、図１においては、２つの携帯電話機１Ａ、１Ｂがコアネットワーク２に接続された場合について示している。
【００２０】
携帯電話機１Ａ、１Ｂは、移動通信センター３の管理下で提供される位置検索サービスに対応するアプリケーション（以下、「位置検索アプリケーション」という）を実装している。この位置検索サービスには、他の携帯電話機１（例えば、携帯電話機１Ｂ）からの要求に応じて携帯電話機１（例えば、携帯電話機１Ａ）の位置情報を提供する第１の位置検索サービスと、ＰＣ４等からの要求に応じて盗難や紛失等があった携帯電話機１の位置情報を提供する第２の位置検索サービスとが含まれる。位置検索アプリケーションの第１の位置検索サービスを実行する場合において、携帯電話機１Ａ、１Ｂは、検索対象となる他の携帯電話機１の識別情報を特定して、移動通信センサー３にその位置情報の提供を要求する機能を有している。
【００２１】
また、携帯電話機１Ａ、１Ｂは、所謂、２ｉｎ１機能を備えており、２つの電話番号及びメールアドレスを利用シーンに応じて切り替えて使用できるように構成されている。この２ｉｎ１機能においては、一方の電話番号及びメールアドレスを利用するＡモード、他方の電話番号及びメールアドレスを利用するＢモード、並びに、双方の電話番号及びメールアドレスを利用するデュアルモードの３つの動作モードで動作可能となっている。
【００２２】
さらに、携帯電話機１Ａ、１Ｂは、気象庁が配信する緊急地震速報や国、地方公共団体が配信する災害・避難情報を含む緊急速報メールを受信できるように構成されている。なお、この緊急速報メールは、移動通信センター３の管理下において、事前に設定された位置情報、或いは、ＧＰＳ機能等により検出された現在の位置情報に基づいて携帯電話機１Ａ、１Ｂに送信される。
【００２３】
コアネットワーク２は、携帯電話機１と移動通信センター３との間のネットワークである。このコアネットワーク２には、通常の移動通信網に加えて移動パケット通信網も含まれる。一方、ネットワークには、インターネット５をはじめその他のネットワーク、例えば、ＬＡＮやＷＡＮなども含まれる。
【００２４】
移動通信センター３は、例えば、ｉモード（登録商標）サーバであり、コアネットワーク２とインターネット５とを結ぶゲートウェイ機能を担っている。具体的には、移動通信センター３は、情報配信機能、メール送受信機能、メール蓄積機能、契約顧客管理機能、情報提供者（Information  Provider）管理機能、並びに、情報料課金機能を有している。
【００２５】
また、移動通信センター３は、携帯電話機１の位置情報を管理すると共に、その位置情報の他の携帯電話機１等への提供を制御する。例えば、移動通信センター３は、携帯電話機１Ｂから、或いは、ＰＣ４からの位置情報の提供要求（以下、適宜「位置提供要求」という）を検索対象となる携帯電話機１Ａに中継する一方、当該携帯電話機１Ａからの応答信号に基づいて携帯電話機１Ｂへの位置情報の提供を許諾又は拒否する。
【００２６】
ＰＣ４は、インターネット５を介して移動通信センター３にアクセス可能に構成されている。また、ＰＣ４は、上述した位置検索アプリケーションと同一の機能を有する位置検索アプリケーションを実装している。この位置検索アプリケーション上において、上述した第１又は第２の位置検索サービスの利用を希望するＰＣ４のユーザは、ＰＣ４から検索対象となる携帯電話機１を特定して、移動通信センサー３にその位置情報の提供を要求することができる。これにより、例えば、携帯電話機１のユーザの所在地を把握することができる一方、紛失した携帯電話機１の位置を特定することができる。
【００２７】
図２は、本実施の形態に係る携帯電話機１Ａの構成を示すブロック図である。なお、図２に示す携帯電話機１Ａの構成については、本発明を説明するために簡略化したものであり、通常の携帯電話機が有する機能（例えば、通話機能やメール通信機能など）を備えているものとする。また、携帯電話機１Ｂは、携帯電話機１Ａと同一の構成を有するため、その説明を省略する。さらに、以下においては、説明の便宜上、携帯電話機１Ａが位置情報の提供を要求される携帯電話機であり、携帯電話機１Ｂがその位置情報の提供を要求する携帯電話機であるものとする。
【００２８】
本実施の形態に係る携帯電話機１Ａは、移動通信センター３からの位置提供要求を受けると、装置本体内に保持されている電話帳データの登録内容に基づいて位置提供要求の許否を判定し、移動通信センター３からの位置情報の提供を許諾又は拒否するものである。具体的には、携帯電話機１Ａは、電話帳に登録されていない外部端末（携帯電話機１やＰＣ４）からの位置提供要求を拒否し、移動通信センター３からの位置情報の提供を制限する。
【００２９】
図２に示すように、携帯電話機１Ａは、移動通信センター３からの位置提供要求を受信する受信部１０１と、受信した位置提供要求に基づいて移動通信センター３からの位置情報の提供の許否を判定する制御部１０２と、位置提供要求の許否を判定する際に制御部１０２で参照する情報を記憶する記憶部１０３と、受信した位置提供要求に対する応答信号を移動通信センター３に送信する送信部１０４と、携帯電話機１Ａの動作状態に応じた情報を表示する表示部１０５とを備えている。
【００３０】
受信部１０１において受信される位置提供要求には、位置提供要求を行う携帯電話機１を特定するための情報（以下、「位置提供要求端末特定情報」という）と、位置提供サービス事業者に予め割り当てられる識別情報（以下、「ＬＣＳ（LoCation  Service）  Ｃｌｉｅｎｔ  ＩＤ」という）と、要求元、すなわち、位置提供要求を行うユーザ（以下、「位置提供要求者」という）の識別情報（以下、「Ｒｅｑｕｅｓｔｏｒ  ＩＤ」という）とが含まれる。
【００３１】
ここで、位置提供要求端末特定情報には、任意の文字列が割り当てられる。ここでは、任意の文字列として、位置提供要求を行う携帯電話機１の電話番号が割り当てられるものとする。また、ＬＣＳ  Ｃｌｉｅｎｔ  ＩＤは、位置提供サービス事業者に割り当てられる結果、受信した携帯電話機１Ａにて、そのサービス内容を識別することが可能な情報である。さらに、Ｒｅｑｕｅｓｔｏｒ  ＩＤには、任意の文字列が割り当てられる。ここでは、任意の文字列として、位置提供要求者の携帯電話機１の電話番号が割り当てられるものとする。携帯電話機１Ｂから携帯電話機１Ａに対して位置提供要求を行う場合には、携帯電話機１Ｂ等の電話番号がＲｅｑｕｅｓｔｏｒ  ＩＤに該当する。なお、Ｒｅｑｕｅｓｔｏｒ  ＩＤには、携帯電話機１の電話番号の代わりにメールアドレスを割り当てても良い。
【００３２】
制御部１０２は、図２に示すように、ＬＣＳ  Ｃｌｉｅｎｔ  ＩＤ（ＬＣＳ  ＩＤ）照合部１０６と、提供可否判定部１０７と、照合部としてのＲｅｑｕｅｓｔｏｒ  ＩＤ照合部１０８と、位置情報提供処理部１０９と、ロック設定判定部１１０と、動作モード判定部１１１と、表示制御部としての名前表示制御部１１２とを有している。
【００３３】
ＬＣＳ  ＩＤ照合部１０６は、受信部１０１で受信した位置提供要求に含まれるＬＣＳ  Ｃｌｉｅｎｔ  ＩＤを受け取り、予め保持したＬＣＳ  Ｃｌｉｅｎｔ  ＩＤと照合する。ここで、特定のＬＣＳ  Ｃｌｉｅｎｔ  ＩＤを照合するのは、例えば、警察や海上保安庁等から提供される緊急度の高い位置提供サービスを判定するためである。携帯電話機１Ａにおいては、このような緊急度の高い位置提供サービスにおいては、無条件に位置情報要求を受け入れ、位置情報の提供を許諾するように構成されている。この場合において、ＬＣＳ  ＩＤ照合部１０６は、位置提供要求に含まれるＬＣＳ  Ｃｌｉｅｎｔ  ＩＤが「１１０（警察）」、「１１８（海上保安庁）」及び「１１９（消防）」と一致するか照合する。
【００３４】
提供可否判定部１０７は、受信部１０１で位置提供要求を受信した旨の通知を受け、後述する設定保持部１１３に保持されている、携帯電話機１Ａの設定内容を参照しながら位置情報の提供の可否を判定する。なお、この提供可否判定部１０７による判定結果は、Ｒｅｑｕｅｓｔｏｒ  ＩＤ照合部１０８及び位置情報提供処理部１０９に通知される。ここで、Ｒｅｑｕｅｓｔｏｒ  ＩＤ照合部１０８に判定結果を通知するのは、Ｒｅｑｕｅｓｔｏｒ  ＩＤの照合処理を実行させるためである。
【００３５】
Ｒｅｑｕｅｓｔｏｒ  ＩＤ照合部１０８は、受信部１０１で受信した位置提供要求に含まれるＲｅｑｕｅｓｔｏｒ  ＩＤを受け取り、後述する電話帳保持部１１４に保持されている、電話帳データの登録内容を参照しながらＲｅｑｕｅｓｔｏｒ  ＩＤの照合を行う。具体的には、Ｒｅｑｕｅｓｔｏｒ  ＩＤとしての電話番号が電話帳データに登録されているか否かを判定する。
【００３６】
位置情報提供処理部１０９は、ＬＣＳ  ＩＤ照合部１０６、提供可否判定部１０７及びＲｅｑｕｅｓｔｏｒ  ＩＤ照合部１０８から受け取った照合結果又は判定結果に応じて移動通信センター３からの位置情報の提供の許諾又は拒否を示す応答信号を生成する。例えば、位置情報提供処理部１０９は、ＬＣＳ  ＩＤ照合部１０６から緊急度の高いサービスと照合しないという照合結果が送出される一方、提供可否判定部１０７から位置情報の提供を拒否する判定結果が送出された場合に位置情報の提供の拒否を示す応答信号を生成する。
【００３７】
ロック設定判定部１１０は、後述する設定保持部１１３に保持されている、電話帳のロック設定を判定する。ここで、電話帳のロック設定とは、ユーザにより設定されるものであり、特定の電話帳データの利用を制限するための設定である。例えば、全ての電話帳データの使用がロックされている状態（以下、適宜「電話帳ロック状態」という）、並びに、全ての電話帳データの使用がロックされていない状態（以下、適宜「電話帳非ロック状態」という）が設定される。
【００３８】
動作モード判定部１１１は、設定保持部１１３に保持されている、２ｉｎ１機能における動作モード設定を判定する。ここで、２ｉｎ１機能における動作モード設定は、ユーザの指示に応じて切り替えて設定されるものであり、２ｉｎ１機能における動作モードを特定するための設定である。すなわち、動作モード判定部１１１は、現在の動作モードが、Ａモード、Ｂモード又はデュアルモードであるかを判定する。
【００３９】
名前表示制御部１１２は、ロック設定判定部１１０及び動作モード判定部１１１から通知される判定結果に基づいて、表示部１０５における電話帳データに登録されている登録者の名前の表示を制御する。例えば、電話帳ロック状態の場合には、電話帳データに登録されている全ての登録者の名前を表示部１０５に表示しないように制御する。また、２ｉｎ１機能における動作モードがＡモードである場合には、Ｂモード用の電話帳データのみに登録されている登録者から位置情報の提供要求があった場合には、その名前を表示部１０５に表示しないように制御する。
【００４０】
記憶部１０３は、携帯電話機１Ａに対する各種の設定を保持する設定保持部１１３と、事前に登録された電話帳データを保持する電話帳保持部１１４とを有している。設定保持部１１３は、例えば、上述した電話帳のロック設定、２ｉｎ１機能における動作モード設定を保持する。また、設定保持部１１３は、位置情報の提供の可否設定（以下、「位置提供可否設定」という）を保持する。
【００４１】
なお、この位置提供可否設定は、ユーザにより設定されるものであり、位置提供要求を許諾するか、拒否するかを特定するための設定である。本実施の形態においては、無条件で位置提供要求を許諾する位置提供許諾状態と、一律に位置提供要求を拒否する位置提供拒否状態と、電話帳データに登録されている登録者の位置提供要求を許諾する位置提供限定許諾状態とが設定される。なお、位置提供拒否状態は、第１提供拒否状態に相当し、位置提供限定許諾状態は、第２提供拒否状態に相当する。
【００４２】
電話帳保持部１１４は、２ｉｎ１機能における動作モードがＡモードの場合に使用される電話帳データ（Ａモード用電話帳データ）、並びに、同じく動作モードがＢモードの場合に使用される電話帳データ（Ｂモード用電話帳データ）を保持する。２ｉｎ１機能における動作モードがＡモード（Ｂモード）の場合には、Ｂモード用電話帳データ（Ａモード用電話帳データ）を使用することができない。なお、２ｉｎ１機能における動作モードがデュアルモードの場合には、Ａモード用電話帳データ及びＢモード用電話帳データの双方を使用することが可能である。
【００４３】
また、記憶部１０３には、自端末（携帯電話機１Ａ）に割り当てられている電話番号及びメールアドレス（以下、適宜「自端末情報」という）も保持されている。ここで、この自端末情報は、説明の便宜上、電話帳保持部１１４内に保持されているものとするが、これに限定されるものではなく、設定保持部１１３に保持するようにしても良い。なお、自端末情報は、Ａモード用電話帳データ及びＢモード用電話帳データの両方に登録されているものとする。
【００４４】
以下、本実施の形態に係る移動通信ネットワークにおいて、携帯電話機１Ａの位置提供要求が行われた場合の動作について説明する。図３〜図５は、本実施の形態に係る移動通信ネットワークにおいて、携帯電話機１Ａの位置提供要求が行われた場合の動作を説明するためのシーケンス図である。図３及び図４は、上述した第１の位置検索サービスにおけるシーケンスを示し、それぞれ携帯電話機１Ｂから行われた位置提供要求を携帯電話機１Ａが許諾する場合と、拒否する場合とを示している。図５は、上述した第２の位置検索サービスにおけるシーケンスを示し、ＰＣ４から行われた位置提供要求を携帯電話機１Ａが許諾する場合を示している。なお、図４において、図３と同一の処理については、同一の符号を付し、その説明を省略する。
【００４５】
携帯電話機１Ｂのユーザが携帯電話機１Ａの位置情報の入手を希望する場合、携帯電話機１Ｂにおいて、上述した位置検索アプリケーションが起動され、携帯電話機１Ａの位置提供要求端末特定情報を特定した上で位置提供要求が指示される。このように位置提供要求が指示されると、図３に示すように、携帯電話機１Ｂから移動通信センター３に対して位置提供要求が送出される（ステップ（以下、「ＳＴ」という）３１）。なお、この位置提供要求には、Ｒｅｑｕｅｓｔｏｒ  ＩＤとして携帯電話機１Ｂの電話番号が含まれると共に、位置提供要求端末特定情報として携帯電話機１Ａの電話番号が含まれている。
【００４６】
携帯電話機１Ｂから位置提供要求を受信すると、移動通信センター３において、位置提供要求端末として携帯電話機１Ａが特定され、携帯電話機１Ａに位置提供要求が送出される（ＳＴ３２）。なお、この位置提供要求には、Ｒｅｑｕｅｓｔｏｒ  ＩＤとして携帯電話機１Ｂの電話番号が含まれている。
【００４７】
移動通信センター３から位置提供要求を受信すると、携帯電話機１Ａにおいて、その位置提供要求を許諾するか、拒否するかが判定される（ＳＴ３３：位置提供許否判定処理）。この位置提供許否判定処理においては、携帯電話機１Ａの設定状態、並びに、位置提供要求に含まれるＲｅｑｕｅｓｔｏｒ  ＩＤ（携帯電話機１Ｂの電話番号）の電話帳データにおける登録状態から位置提供要求を許諾するか、拒否するかが判定され、いずれかを示す応答信号が生成される。なお、この位置提供許否判定処理の詳細な説明については、後述する携帯電話機１Ａの動作フローで説明する。
【００４８】
ここでは、位置提供許否判定処理により、受信した位置提供要求が許諾され、その旨を示す応答信号（以下、適宜「許諾応答信号」という）が生成されるものとする。携帯電話機１Ａで生成された許諾応答信号は、携帯電話機１Ａから移動通信センター３に対して送出される（ＳＴ３４）。なお、移動通信センター３に対して許諾応答信号を送出した場合には、携帯電話機１Ａにおいて、その設定状態又は動作モードに基づいて、位置提供要求を行う携帯電話機１Ｂのユーザの名前の表示処理（以下、適宜「名前表示処理」が行われる。この名前表示処理については、後述する携帯電話機１Ａの動作フローで説明する。
【００４９】
携帯電話機１Ａから許諾応答信号を受信すると、移動通信センター３において、携帯電話機１Ａの位置情報の検索が行われる（ＳＴ３５）。なお、ここでは、携帯電話機１Ａからの許諾応答信号の受信を待ってその位置情報の検索を行う場合について示しているが、位置情報の検索タイミングについてはこれに限定されるものではない。例えば、事前に携帯電話機１Ａの位置情報を検索しておいても良い。このように移動通信センター３において検索された携帯電話機１Ａの位置情報は、携帯電話機１Ｂに送出される（ＳＴ３６）。
【００５０】
移動通信センター３からこの位置情報を受信すると、携帯電話機１Ｂにおいて、表示部１０５にその位置情報が表示される（ＳＴ３７）。例えば、表示部１０５においては、上述した位置検索アプリケーションで表示される地図上に携帯電話機１Ａの位置情報が表示される。このように表示される位置情報を確認することにより、携帯電話機１Ｂのユーザは、携帯電話機１Ａ（携帯電話機１Ａのユーザ）の現在位置を確認することが可能となる。
【００５１】
一方、位置提供要求を受信した携帯電話機１Ａにおいて、ＳＴ３３に示す位置提供許否判定処理により位置提供要求が拒否される場合には、その旨を示す応答信号（以下、適宜「拒否応答信号」という）が生成され、図４に示すように、移動通信センター３に送出される（ＳＴ４１）。なお、移動通信センター３に対して拒否応答信号を送出した場合には、携帯電話機１Ａにおいて、上述した名前表示処理が行われることはなく、携帯電話機１Ａのユーザは、この位置提供要求の存在を認識することはない。
【００５２】
携帯電話機１Ａから拒否応答信号を受信すると、移動通信センター３において、携帯電話機１Ａで位置提供要求が拒否された旨を示すエラーメッセージが生成され、携帯電話機１Ｂに対して送出される（ＳＴ４２）。
【００５３】
移動通信センター３からこのエラーメッセージを受信すると、携帯電話機１Ｂにおいて、表示部１０５にそのエラーメッセージが表示される（ＳＴ４３）。このエラーメッセージを確認することにより、携帯電話機１Ｂのユーザは、携帯電話機１Ａの位置提供要求が拒否されたことを確認することが可能となる。
【００５４】
また、ＰＣ４のユーザが携帯電話機１Ａの位置情報の入手を希望する場合、ＰＣ４において、上述した位置検索アプリケーションが起動され、携帯電話機１Ａの位置提供要求端末特定情報を特定した上で位置提供要求が指示される。このように位置提供要求が指示されると、図５に示すように、ＰＣ４から移動通信センター３に対して位置提供要求が送出される（ＳＴ５１）。例えば、携帯電話機１Ａを紛失してしまったユーザが携帯電話機１Ａの位置情報を入手する場合にＰＣ４から位置提供要求が送出される。この場合、位置提供要求には、Ｒｅｑｕｅｓｔｏｒ  ＩＤとして携帯電話機１Ａの電話番号が含まれると共に、位置提供要求端末特定情報として携帯電話機１Ａの電話番号が含まれている。
【００５５】
ＰＣ４から位置提供要求を受信すると、移動通信センター３において、位置提供要求端末として携帯電話機１Ａが特定され、携帯電話機１Ａに位置提供要求が送出される（ＳＴ５２）。なお、この位置提供要求には、Ｒｅｑｕｅｓｔｏｒ  ＩＤとして携帯電話機１Ａの電話番号が含まれている。
【００５６】
移動通信センター３から位置提供要求を受信すると、携帯電話機１Ｂから位置提供要求が行われた場合と同様に、携帯電話機１Ａにおいて、位置提供許否判定処理が行われ（ＳＴ５３）、携帯電話機１Ａの設定状態、並びに、位置提供要求に含まれるＲｅｑｕｅｓｔｏｒ  ＩＤ（携帯電話機１Ａの電話番号）の電話帳データにおける登録状態から位置提供要求の許諾又は拒否が判定され、許諾応答信号又は拒否応答信号が生成される。
【００５７】
ここでは、位置提供許否判定処理により、位置提供要求が許諾され、その旨を示す許諾応答信号が生成されるものとする。携帯電話機１Ａで生成された許諾応答信号は、携帯電話機１Ａから移動通信センター３に対して送出される（ＳＴ５４）。
【００５８】
携帯電話機１Ａから許諾応答信号を受信すると、移動通信センター３において、携帯電話機１Ａの位置情報の検索が行われる（ＳＴ５５）。そして、移動通信センター３において検索された携帯電話機１Ａの位置情報は、ＰＣ４に送出される（ＳＴ５６）。
【００５９】
移動通信センター３から位置情報を受信すると、ＰＣ４において、その表示部にその位置情報が表示される（ＳＴ５７）。例えば、ＰＣ４においては、上述した位置検索アプリケーションで表示される地図上に携帯電話機１Ａの位置情報が表示される。このように表示される位置情報を確認することにより、ＰＣ４のユーザは、携帯電話機１Ａの現在位置を確認することが可能となる。なお、このような第２の位置検索サービスにより、紛失した携帯電話機１Ａの位置提供要求を行う場合には、携帯電話機１Ａの電源が入っていない場合等の例外を除き、原則としてその位置提供要求が拒否されることはない。
【００６０】
次に、本実施の形態に係る携帯電話機１Ａにおいて、位置提供要求を受信した場合における携帯電話機１Ａの動作について説明する。図６及び図７は、本実施の形態に係る携帯電話機１Ａにおいて、位置提供要求を受信した場合の動作について説明するためのフロー図である。図６においては、主に上述した位置提供許否判定処理を示し、図７においては、主に上述した名前表示処理を示す。なお、図６及び図７においては、特に携帯電話機１Ｂから位置提供要求を受信した場合の動作について説明する。
【００６１】
待機状態において、携帯電話機１Ａの制御部１０２は、図６に示すように、移動通信センター３から位置提供要求を受信するか判定している（ＳＴ６１）。ここで、位置提供要求を受信した場合には、その位置提供要求に含まれるＬＣＳ  Ｃｌｉｅｎｔ  ＩＤが判定される一方（ＳＴ６２）、位置提供要求を受信しない場合には、待機状態が継続される。
【００６２】
ＳＴ６２においては、位置提供要求に含まれるＬＣＳ  Ｃｌｉｅｎｔ  ＩＤが、予め保持したＬＣＳ  Ｃｌｉｅｎｔ  ＩＤ（１１０（警察）、１１８（海上保安庁）及び１１９（消防））と一致するか判定される。なお、この判定は、ＬＣＳ  ＩＤ照合部１０６により行われる。ここで、これらのＬＣＳ  Ｃｌｉｅｎｔ  ＩＤと一致する場合には、その旨が位置情報提供処理部１０９に通知される。そして、位置情報提供処理部１０９により無条件で許諾応答信号が生成され、移動通信センター３に送出される（ＳＴ６７、ＳＴ６９）。
【００６３】
一方、ＬＣＳ  Ｃｌｉｅｎｔ  ＩＤが、予め保持したＬＣＳ  Ｃｌｉｅｎｔ  ＩＤと一致しない場合には、位置提供可否設定が判定される。なお、この判定は、提供可否判定部１０７により行われる。まず、提供可否判定部１０７は、位置提供可否設定が位置提供許諾状態に設定されているか判定する（ＳＴ６３）。ここで、位置提供可否設定が位置提供許諾状態に設定されている場合には、その旨が位置情報提供処理部１０９に通知される。そして、位置情報提供処理部１０９により無条件で許諾応答信号が生成され、移動通信センター３に送出される（ＳＴ６７、ＳＴ６９）。
【００６４】
そして、位置提供可否設定が位置提供許諾状態に設定されていない場合、提供可否判定部１０７は、位置提供可否設定が位置提供拒否状態に設定されているか判定する（ＳＴ６４）。ここで、位置提供可否設定が位置提供拒否状態に設定されている場合には、一律に位置情報提供処理部１０９により拒否応答信号が生成され、移動通信センター３に送出される（ＳＴ６８、ＳＴ６９）。
【００６５】
このように本実施の形態に係る携帯電話機１Ａにおいては、装置本体に設定された位置情報の位置提供可否設定に応じて位置情報の提供要求が拒否されるので、ユーザの意図を反映して位置情報の提供要求を拒否することが可能となる。特に、位置提供可否設定が位置提供拒否状態に設定されている場合には、Ｒｅｑｕｅｓｔｏｒ  ＩＤ照合部１０８の照合結果を待たずに拒否応答信号が生成されるので、位置情報提供を拒否する場合における処理を迅速に進めることが可能となる。
【００６６】
なお、位置提供可否設定が位置提供許諾状態及び位置提供拒否状態のいずれにも設定されていない場合、提供可否判定部１０７は、位置提供可否設定が位置提供限定許諾状態に設定されているか判定する（ＳＴ６５）。ここで、位置提供可否設定が位置提供限定許諾状態に設定されていない場合には、何らかの判定エラーが発生したものとし、処理をＳＴ６２に戻す。なお、ＳＴ６２〜ＳＴ６５の処理を一定回数繰り返した場合、処理エラーが発生した旨をユーザに通知すると共に、処理を中断するようにしても良い。
【００６７】
一方、位置提供可否設定が位置提供限定許諾状態に設定されている場合には、その旨がＲｅｑｕｅｓｔｏｒ  ＩＤ照合部１０８に通知される。そして、Ｒｅｑｕｅｓｔｏｒ  ＩＤ照合部１０８は、位置提供要求に含まれるＲｅｑｕｅｓｔｏｒ  ＩＤが電話帳データに登録されているか判定する（ＳＴ６６）。
【００６８】
ここで、Ｒｅｑｕｅｓｔｏｒ  ＩＤが電話帳データに登録されている場合には、その旨が位置情報提供処理部１０９に通知される。そして、位置情報提供処理部１０９により許諾応答信号が生成され（ＳＴ６７）、送信部１０４を介して移動通信センター３に送出される（ＳＴ６９）。この場合、移動通信センター３において、図３に示すように、携帯電話機１Ａの位置情報が検索され、携帯電話機１Ｂに送出される。
【００６９】
一方、Ｒｅｑｕｅｓｔｏｒ  ＩＤが電話帳データに登録されていない場合には、その旨が位置情報提供処理部１０９に通知される。そして、位置情報提供処理部１０９により拒否応答信号が生成され（ＳＴ６８）、送信部１０４を介して移動通信センター３に送出される（ＳＴ６９）。この場合、移動通信センター３において、図４に示すように、携帯電話機１Ａの位置情報を検索することなく、エラーメッセージが携帯電話機１Ｂに送出される。
【００７０】
このように本実施の形態に係る携帯電話機１Ａにおいて、位置提供可否設定が位置提供限定許諾状態に設定されている場合には、Ｒｅｑｕｅｓｔｏｒ  ＩＤ照合部１０８の照合結果に応じて許諾応答信号又は拒否応答信号が送出されるので、ユーザの意図を反映しつつ、確実にユーザが認識していない要求元からの位置情報の提供要求を拒否することが可能となる。
【００７１】
このように電話帳データにＲｅｑｕｅｓｔｏｒ  ＩＤが登録されている場合には、許諾応答信号が生成される一方、登録されていない場合には拒否応答信号が生成され、移動通信センター３に送出される。これにより、電話帳データに登録された、ユーザが認識している位置提供要求者からの位置提供要求に対しては位置情報の提供を許諾する一方、電話帳データに登録されていない、ユーザが認識していない位置提供要求者からの位置提供要求に対しては位置情報の提供を拒否することが可能となる。
【００７２】
また、移動通信センター３から位置提供要求を受信した後において、携帯電話機１Ａの制御部１０２は、図７に示すように、移動通信センター３に対して位置提供要求を許諾するか判定している（ＳＴ７１）。この判定は、例えば、図６に示すＳＴ６７で許諾応答信号を生成するかを判定することにより行われる。ここで、位置提供要求を許諾する場合には、電話帳のロック設定が判定される一方（ＳＴ７２）、位置提供要求を許諾しない場合には、そのまま処理が終了される。
【００７３】
ＳＴ７２においては、設定保持部１１３に保持されている、電話帳のロック設定が電話帳ロック状態であるか、電話帳非ロック状態であるか判定される。なお、この判定は、ロック設定判定部１１０により行われる。ここで、電話帳のロック設定が電話帳非ロック状態の場合には、現在の動作モードが判定される一方（ＳＴ７３、ＳＴ７４）、電話帳のロック設定が電話帳ロック状態の場合には、位置提供要求に含まれるＲｅｑｕｅｓｔｏｒ  ＩＤに対応する名前を表示しないで（ＳＴ７８）、そのＲｅｑｕｅｓｔｏｒ  ＩＤ（携帯電話機１Ｂの電話番号）を表示する。
【００７４】
このように本実施の携帯に係る携帯電話機１Ａにおいては、電話帳のロック状態に応じてＲｅｑｕｅｓｔｏｒ  ＩＤに対応する名前の表示が制御されるので、ユーザの意図に応じてＲｅｑｕｅｓｔｏｒ  ＩＤに対応する名前を表示部１０５に表示し、或いは、その表示を制限することが可能となる。
【００７５】
ＳＴ７３においては、設定保持部１１３に保持されている動作モード設定が、現在の動作モードがＡモードであるか判定される。そして、現在の動作モードがＡモードでない場合には、ＳＴ７４において、現在の動作モードがＢモードであるか判定される。なお、これらの判定は、動作モード判定部１１１により行われる。
【００７６】
ＳＴ７３において、現在の動作モードがＡモードである場合には、その旨が名前表示部１１２に通知され、名前表示制御部１１２が位置提供要求に含まれるＲｅｑｕｅｓｔｏｒ  ＩＤが、Ａモード用の電話帳データに登録されているか判定する（ＳＴ７５）。ここで、Ｒｅｑｕｅｓｔｏｒ  ＩＤが、Ａモード用の電話帳データに登録されている場合、名前表示制御部１１２は、Ｒｅｑｕｅｓｔｏｒ  ＩＤに対応する名前（携帯電話機１Ｂのユーザの名前）を表示部１０５に表示する（ＳＴ７７）。一方、Ｒｅｑｕｅｓｔｏｒ  ＩＤが、Ａモード用の電話帳データに登録されていない場合には、名前表示制御部１１２は、Ｒｅｑｕｅｓｔｏｒ  ＩＤに対応する名前を表示しないで（ＳＴ７８）、そのＲｅｑｕｅｓｔｏｒ  ＩＤ（携帯電話機１Ｂの電話番号）を表示する。
【００７７】
同様に、ＳＴ７４において、現在の動作モードがＢモードである場合には、その旨が名前表示部１１２に通知され、名前表示制御部１１２が位置提供要求に含まれるＲｅｑｕｅｓｔｏｒ  ＩＤが、Ｂモード用の電話帳データに登録されているか判定する（ＳＴ７６）。ここで、Ｒｅｑｕｅｓｔｏｒ  ＩＤが、Ｂモード用の電話帳データに登録されている場合、名前表示制御部１１２は、Ｒｅｑｕｅｓｔｏｒ  ＩＤに対応する名前（携帯電話機１Ｂのユーザの名前）を表示部１０５に表示する（ＳＴ７７）。一方、Ｒｅｑｕｅｓｔｏｒ  ＩＤが、Ｂモード用の電話帳データに登録されていない場合には、名前表示制御部１１２は、Ｒｅｑｕｅｓｔｏｒ  ＩＤに対応する名前を表示しないで（ＳＴ７８）、そのＲｅｑｕｅｓｔｏｒ  ＩＤ（携帯電話機１Ｂの電話番号）を表示する。
【００７８】
このように本実施の形態に係る携帯電話機１Ａにおいては、現在の動作モードに応じてＲｅｑｕｅｓｔｏｒ  ＩＤに対応する名前の表示が制御されるので、利用シーン等に応じて必要なＲｅｑｕｅｓｔｏｒ  ＩＤに対応する名前のみを表示部１０５に表示することが可能となる。
【００７９】
なお、ＳＴ７３、ＳＴ７４において、現在の動作モードがＡモード及びＢモードのいずれにも該当しない場合、動作モード判定部１１１は、現在の動作モードがデュアルモードであると判定し、その旨を名前表示部１１２に通知する。この場合、名前表示部１１２は、再びＲｅｑｕｅｓｔｏｒ  ＩＤが電話帳データに登録されているかを判定することなく、Ｒｅｑｕｅｓｔｏｒ  ＩＤに対応する名前（携帯電話機１Ｂのユーザの名前）を表示部１０５に表示する（ＳＴ７７）。
【００８０】
そして、ＳＴ７７において、Ｒｅｑｕｅｓｔｏｒ  ＩＤに対応する名前を表示した後、或いは、ＳＴ７８において、Ｒｅｑｕｅｓｔｏｒ  ＩＤを表示した後は、予め定めた時間が経過した後、或いは、ユーザによる確認処理を経た後にその表示を終了する。このように現在の動作モードに応じてＲｅｑｕｅｓｔｏｒ  ＩＤに対応する名前の表示の有無が切り替えられることから、携帯電話機１Ａのユーザが表示を希望するＲｅｑｕｅｓｔｏｒ  ＩＤに対応する名前のみを表示部１０５に表示することが可能となる。
【００８１】
なお、ここでは、携帯電話機１Ｂから位置提供要求を受信した場合の動作について説明しているが、ＰＣ４から上述した第２の位置検索サービスに基づく位置提供要求を受信した場合には、図６に示すＳＴ６６において、Ｒｅｑｕｅｓｔｏｒ  ＩＤとしての携帯電話機１Ａの電話番号が電話帳データに登録されているかが判定されることとなる。この場合には、原則として、携帯電話機１Ａにおいて、許諾応答信号が生成され、移動通信センター３に送出される（ＳＴ６７、ＳＴ６９）。そして、移動通信センター３において、図５に示すように、携帯電話機１Ａの位置情報が検索され、ＰＣ４に送出される。これにより、ＰＣ４のユーザは、紛失した携帯電話機１Ａの位置情報を把握することが可能となる。
【００８２】
このように本実施の形態に係る携帯電話機１によれば、位置情報の提供要求に含まれるＲｅｑｕｅｓｔｏｒ  ＩＤ（要求元の識別情報）と、電話帳に登録された電話番号（連絡先情報）とが照合され、その照合結果に応じて位置情報の提供要求が拒否されることから、電話帳に登録された電話番号に基づいて位置情報の提供要求を受け付ける要求元を選択できるので、ユーザに煩雑な処理を要求することなく、ユーザが認識していない要求元からの位置情報の提供要求を拒否することが可能となる。
【００８３】
特に、本実施の形態に係る携帯電話機１において、位置情報提供処理部１０９は、Ｒｅｑｕｅｓｔｏｒ  ＩＤに応じた電話番号が登録されていない場合に位置情報の提供要求を拒否する。これにより、電話帳に電話番号が登録されていない要求元からの位置情報の提供要求を拒否できるので、確実にユーザが認識していない要求元からの位置情報の提供要求を拒否することが可能となる。
【００８４】
本発明は上記実施の形態に限定されず、種々変更して実施することが可能である。例えば、本発明の範囲を逸脱しない限りにおいて、開示された処理部や処理手順については適宜変更して実施することが可能である。その他、本発明の範囲を逸脱しないで適宜変更して実施することが可能である。
【図面の簡単な説明】
【００８５】
【図１】本発明の一実施の形態に係る移動体端末装置が適用される移動通信ネットワークシステムの概略構成を示す図である。
【図２】上記実施の形態に係る携帯電話機の構成を示すブロック図である。
【図３】上記実施の形態に係る移動通信ネットワークにおいて、携帯電話機の位置提供要求が行われた場合の動作を説明するためのシーケンス図である。
【図４】上記実施の形態に係る移動通信ネットワークにおいて、携帯電話機の位置提供要求が行われた場合の動作を説明するためのシーケンス図である。
【図５】上記実施の形態に係る移動通信ネットワークにおいて、携帯電話機の位置提供要求が行われた場合の動作を説明するためのシーケンス図である。
【図６】上記実施の形態に係る携帯電話機において、位置提供要求を受信した場合の動作について説明するためのフロー図である。
【図７】上記実施の形態に係る携帯電話機において、位置提供要求を受信した場合の動作について説明するためのフロー図である。
【符号の説明】
【００８６】
１Ａ、１Ｂ  携帯電話機
２  コアネットワーク
３  移動通信センター
４  ＰＣ
５  インターネット
１０１  受信部
１０２  制御部
１０３  記憶部
１０４  送信部
１０５  表示部
１０６  ＬＣＳ  ＩＤ（ＬＣＳ  Ｃｌｉｅｎｔ  ＩＤ）照合部
１０７  提供可否判定部
１０８  Ｒｅｑｕｅｓｔｏｒ  ＩＤ照合部
１０９  位置情報提供処理部
１１０  ロック設定判定部
１１１  動作モード判定部
１１２  名前表示制御部
１１３  設定保持部
１１４  電話帳保持部
【図１】
2010093706.tif 000003
【図２】
2010093706.tif 000004
【図３】
2010093706.tif 000005
【図４】
2010093706.tif 000006
【図５】
2010093706.tif 000007
【図６】
2010093706.tif 000008
【図７】
2010093706.tif 000009